(57)【要約】【課題】装飾用置物としては勿論、小間物入れ等として身近に使用することができる観賞用透明ブロックの提供を図る。【解決手段】装飾材料３Ａ，３Ｂを透明なパラフィンワックス４内に封じ込んだ透明容器２の蓋体５の外側に、透明な化粧ケース６を構成している。これにより、観賞用透明ブロック１本来の装飾性，意匠性を発揮できることは勿論、装身具等の小間物入れとして日常的に身近に使用することができる。【選択図】図１
2012240390.tif 000002
【特許請求の範囲】
【請求項１】
一側に開放部を有し、該開放部の周縁近傍の内周面に径方向内側に向けて張り出すフランジ部を形成した透明容器と、
前記開放部から透明容器内に装飾材料と共に充填されて、該装飾材料を中に封じ込んだ透明な固化材料と、
前記開放部に装着されて、その周端面と前記フランジ部面とに押圧密接して、該開放部を閉塞した透明な蓋体と、
前記フランジ部で形成される内側開口部の周縁に内接嵌合して配置され、前記蓋体に密接する透明な内蓋と、を備え、
前記蓋体の外側には、該蓋体を底板として透明な化粧ケースを構成したことを特徴とする観賞用透明ブロック。
【請求項２】
前記化粧ケースは、前記蓋体の外側周縁部に段差部を形成し、一側が開放した透明なケース体を、その開放部を前記蓋体の段差部に挿，脱可能に嵌合して構成したことを特徴とする請求項１に記載の観賞用透明ブロック。
【請求項３】
前記化粧ケースは、前記蓋体の外側に一体成形されて上側に開放部を有する透明なケース体と、前記ケース体の開放部に設けられた透明な開閉蓋と、を備えたことを特徴とする請求項１に記載の観賞用透明ブロック。
【発明の詳細な説明】
【技術分野】
【０００１】
本発明は、透明な固化材料で装飾材料を内部に封じ込んで、装飾用置物として用いることができる観賞用透明ブロックに関する。
【背景技術】
【０００２】
本出願人は、先きに特許文献１に示されているように、透明容器内に、装飾材料を透明な固化材料で封じ込んだ観賞用透明ブロックを提案している。
【先行技術文献】
【特許文献】
【０００３】
【特許文献１】特願２０１０−５０９４号
【発明の概要】
【発明が解決しようとする課題】
【０００４】
装飾材料を透明な固化材料の中に浮遊状態に封じ込んであるため、独特な立体感を現出して観る者を魅了できるのであるが、単に置物としてではなく、小間物入れのような日常的に身近に使用できる商品としての価値が求められている。
【０００５】
そこで、本発明は装飾用置物としては勿論、小間物入れ等として身近に使用することができる観賞用透明ブロックを提供するものである。
【課題を解決するための手段】
【０００６】
本発明の観賞用透明ブロックにあっては、一側に開放部を有し、該開放部の周縁近傍の内周面に径方向内側に向けて張り出すフランジ部を形成した透明容器と、この開放部から透明容器内に装飾材料と共に充填されて、該装飾材料の中に封じ込んだ透明な固化材料と、前記開放部に装着されて、その周端面と前記フランジ部面とに押圧密接して、該開放部を閉塞した透明な蓋体と、前記フランジ部で形成される内側開口部の周縁に内接嵌合して配置され、前記蓋体に密接する透明な内蓋と、を備えている。そして、前記蓋体の外側には、該蓋体を底板として透明な化粧ケースを構成したことを主要な特徴としている。
【発明の効果】
【０００７】
本発明によれば、装飾材料を透明な固化材料の中に封じ込んで、独特な立体感を現出させた観賞用透明ブロック本来の装飾性，意匠性を発揮できることは勿論、装身具等を収納する化粧ケースとして日常的に身近に使用することができて、使用者のニーズに十分に応えることができる。
【０００８】
また、透明容器の内側のフランジ部で形成される内側開口部には、その周縁に内接嵌合すると共に蓋体裏面に密接する透明な内蓋を備えている。
【０００９】
このため、溶融した固化材料の透明容器内への注入，充填後に蓋体を固着した際に、内蓋によって固化材料がフランジ部と蓋体とが密接した部分に溢流，侵入するのを極僅かに抑制することができる。
【００１０】
また、当該部分に固化材料が僅かに溢流，侵入した場合でも、フランジ部面もしくは蓋体側に極薄いフィルム状に付着するので、半乾きの状態のときにこれを容易に剥ぎ取ることができる。
【００１１】
この結果、見栄えを向上できて品質感を高めることができる。しかも、蓋体を固着する前に、充填した固化材料が流動性を有している状態のときに、内蓋で固化材料面を軽く押圧して均すことによって、固化材料の注入時に発生した気泡を除去して品質感を高めることもできる。
【図面の簡単な説明】
【００１２】
【図１】本発明に係る観賞用透明ブロックの第１実施形態を示す断面説明図。
【図２】図１に示した第１実施形態の略示的斜視図。
【図３】図１のＡ−Ａ線に沿う断面説明図。
【図４】本発明の第２実施形態を示す略示的斜視図。
【発明を実施するための形態】
【００１３】
以下、本発明の実施形態を図面と共に詳述する。
【００１４】
図１〜図３に示す第１実施形態の観賞用透明ブロック１は、透明容器２と、透明容器２内に装飾材料３Ａ，３Ｂと共に充填されて、これら装飾材料３Ａ，３Ｂを中に封じ込んだ透明な固化材料４と、固化材料４を密封する透明な蓋体５と、該蓋体５の外側に構成した透明な化粧ケース６と、を備えている。
【００１５】
固化材料４としてパラフィンワックスを用いることができるが、他の透明な固化材料を用いることも勿論可能である。パラフィンは、非揮発性の精製した飽和炭化水素の混合物であり、各種のものを用いることができる。
【００１６】
本実施形態で用いるパラフィンワックス４としては、組成物中の流動パラフィンを所定量含み、これらにデキストリン脂肪酸エステルや、安定性，透明性の観点から高級脂肪酸エステルであるミリスチン酸デキストリン、パルミチン酸デキストリン、ラウリン酸デキストリン、ステアリン酸デキストリン、オレイン酸デキストリン、ベヘニン酸デキストリン等が含まれていてもよい。
【００１７】
デキストリン脂肪酸エステルの配合量は、２重量％〜７０重量％程度用いることが好ましい。
【００１８】
透明容器２は、例えば、一側に開放部２ａ１を有する直方体として形成してある。この開放部２ａ１の周縁近傍の内周面、即ち、開放部２ａ１の周端面から一段低い位置には、径方向内側に向けて張り出すフランジ部２ｂを形成してある。
【００１９】
このフランジ部２ｂは、全周に亘って同一幅に形成してあり、４隅と各側辺の中央部には、蓋体５をねじ止め固定するためのねじ孔２ｃを形成してある。
【００２０】
観賞用透明ブロック１は、透明容器２を、その開放部２ａ１を閉塞した蓋体５を装着した側が上面となるように用いられる。
【００２１】
蓋体５は、その下面周縁部に、該蓋体５を透明容器２の開放部２ａ１の周端面とフランジ部２ｂ面とに押圧密接可能とするための第１の段差部５ａを形成してある。
【００２２】
この蓋体５には、フランジ部２ｂのねじ孔２ｃに対応する位置にねじ孔５ｃを形成してあり、蓋体５をこれらねじ孔５ｃ，２ｃを通して、例えば、樹脂ねじ７によりフランジ部２ｂにねじ止め固定するようにしている。
【００２３】
また、蓋体５の上面周縁部には第２の段差部５ｂを形成してある。上述の化粧ケース６は、一側が開放した透明なケース体８を、その開放部をこの第２の段差部５ｂに挿・脱可能に圧入嵌合して構成している。
【００２４】
更に、本実施形態では、上述の透明容器２のフランジ部２ｂで形成される内側開口部２ａ２には、その周縁に内接嵌合され、蓋体５の裏面に密接する透明な内蓋９を配設してある。
【００２５】
透明容器２、蓋体５、内蓋９、およびケース体８は、例えば、透明なアクリル製とすることができる。
【００２６】
上述の装飾材料３Ａ，３Ｂと、パラフィンワックス４は、例えば、次のようにして透明容器２内に充填して密封することができる。
【００２７】
先ず、透明容器２内に、溶融したパラフィンワックス４を所定量注ぎ入れる。このとき、パラフィンワックス４を溶融させる段階から透明容器２内に注ぎ入れるまで、一切撹拌を行わず、注ぎ口を透明容器２に極力近づけて泡立てないように注ぐことで、気泡の発生を抑えることができる。なお、このようにパラフィンワックス４を注ぐ際に、ヘラなどを利用することにより、更に静かに注ぎ入れることが可能となる。
【００２８】
本実施形態では透明な固化材料として、パラフィンワックス４を用いているが、この他、ハイドロカーボンとポリマーを混ぜたものや、透明な樹脂などの他の固化材料を用いることができる。
【００２９】
次に、透明容器２を傾けて回し、パラフィンワックス４を透明容器２の内壁に沿って所定の厚さに付着させて冷ますことにより、中に封じ込める装飾材料３Ａ，３Ｂの位置決めを行う透明層（図示省略）を形成する。
【００３０】
そして、この透明層の上に花３Ａやガラス玉３Ｂ等の装飾材料を載せた後、再び溶融したパラフィンワックス４を注いで冷ます。
【００３１】
この作業を繰り返し行うことにより、所定の高さ位置に装飾材料３Ａ，３Ｂを封じ込めることが可能となる。
【００３２】
そして、最終的に溶融したパラフィンワックス４を、フランジ部２ｂと同レベルの規定液面高さまで満杯に注ぎ入れた後、内蓋９を内側開口部２ａ２に内接嵌合して、注入したパラフィンワックス４面をこの内蓋９で軽く押圧して均す。これによって内蓋９の近傍に発生した気泡を外へ抜いて（除去）、気泡の抑制を徹底する。
【００３３】
次いで、パラフィンワックス４が冷めた後、フランジ部２ｂに蓋体５を配置して、これを樹脂ねじ７で締結固定する。
【００３４】
以上の構成からなる第１実施形態の観賞用透明ブロック１によれば、装飾材料３Ａ，３Ｂを透明なパラフィンワックス４の中に封じ込んで、独特な立体感を現出させた観賞用透明ブロック本来の装飾性，意匠性を発揮させることができる。
【００３５】
そして、透明容器２の開放部２ａ１を閉塞した蓋体５の外側には、該蓋体５を底板として透明な化粧ケース６を構成しているので、例えば、図１に示すように化粧ケース６内にスタンド１１を置いてこれにネックレス等の装身具１２を掛けて収納して、小物入れとして日常的に身近に使用することができて、使用者のニーズに十分に応えることができる。
【００３６】
しかも、化粧ケース６は透明なため、収納したネックレス等の装身具１２も、展示用，観賞用に供することができて、装飾性を高めることができる。
【００３７】
この化粧ケース６を、蓋体５の外面周縁部の段差部５ｂに対して、透明なケース体８を挿・脱可能に圧入嵌合して構成することにより、スタンド１１，装飾品１２の収納，取り出しおよび交換等を容易に行えて、使用性を高めることができる。
【００３８】
ここで、透明容器２の開放部２ａ１を閉塞した蓋体５は、開放部２ａ１の近傍の内周面に張り出したフランジ部２ｂに締結固定してあるため、充填したパラフィンワックス４が熱膨張した場合でも、フランジ部２ｂ面と蓋体５面との密接部分での膨張分の吸収機能が得られて、透明容器２の変形防止を行える。
【００３９】
そして、上述のフランジ部２ｂで形成される内側開口部２ａ２には、その周縁に内接嵌合すると共に蓋体５の裏面に密接する透明な内蓋９を備えている。
【００４０】
このため、製作の際に、溶融したパラフィンワックス４を透明容器２内へ注入，充填後に蓋体５を固着した際に、内蓋９によってパラフィンワックス４がフランジ部２ｂと蓋体５とが密接した部分に溢流，侵入するのを極僅かに抑制することができる。
【００４１】
また、当該部分にパラフィンワックス４が僅かに溢流，侵入した場合でも、フランジ部２面もしくは蓋体５側に極薄いフィルム状に付着するので、半乾きの状態のときにこれを容易に剥ぎ取ることができる。
【００４２】
この結果、見栄えを向上できて品質感を高めることができる。しかも、蓋体５を固着する前に、充填したパラフィンワックス４が流動性を有している状態のときに、内蓋９でパラフィンワックス４面を軽く押圧して均すことによって、パラフィンワックス４の注入時に発生した気泡を除去して品質感を高めることもできる。
【００４３】
図４は本発明の第２実施形態を示すもので、本実施形態にあっては蓋体５の外側に一体成形した上側に開放部１３ａを有する透明なケース体１３と、開放部１３ａに設けられた透明な開閉蓋１４と、で化粧ケース６を構成している。
【００４４】
開閉蓋１４は、開放部１３ａ縁および開閉蓋１４の対向縁にそれぞれ一体成形したヒンジ部１５を介して開閉可能に連結してある。
【００４５】
本実施形態によれば、化粧ケース６を透明容器２の上側に小箱のように構成できるので、例えば、指輪等の装身具を収納するジュエリーボックスとして用いることができる。この場合、収納した装身具が透明なケース体１３や開閉蓋１４を透して見えるので、この場合も収納装身具を展示用，観賞用に供することができて、装飾性を高めることができる。
【００４６】
なお、図示は省略したが、ケース体１３の内部に透明な間仕切りを挿・脱可能に配置したり、透明な段付きの底板を挿・脱可能に配置して、装身具の収納性を高めるようにしてもよいことは勿論である。
【符号の説明】
【００４７】
１…観賞用透明ブロック
２…透明容器
２ａ１…開放部
２ａ２…内側開口部
２ｂ…フランジ部
３Ａ，３Ｂ…装飾材料
５…蓋体
５ａ…第１の段差部
５ｂ…第２の段差部
６…化粧ケース
８…透明なケース体
９…内蓋
１３…透明なケース体
１３ａ…開放部
１４…開閉蓋
【図１】
2012240390.tif 000003
【図２】
2012240390.tif 000004
【図３】
2012240390.tif 000005
【図４】
2012240390.tif 000006